(57)【要約】  光電変換モジュール１００は、ガラス基板２０と、ガラス基板２０の第１面側に設けられた光電変換セル１２と、光電変換セル１２と電気的に接続され、ガラス基板２０の第１面とは反対側の第２面側に引き出された一対の配線５０と、一対の配線５０のうちの正極側の配線とガラス基板２０の第２面との間に設けられた絶縁体６０と、を有する。
2020027104.tif 000002
【特許請求の範囲】
【請求項１】
ガラス基板と、
前記ガラス基板の第１面側に設けられた光電変換セルと、
前記光電変換セルと電気的に接続され、前記ガラス基板の前記第１面とは反対側の第２面側に引き出された一対の配線と、
前記一対の配線のうちの正極側の配線と前記ガラス基板の前記第２面との間に設けられた絶縁体と、を有する、光電変換モジュール。
【請求項２】
前記ガラス基板の前記第２面側において前記正極側の配線が延びている方向に直交する方向における前記絶縁体の幅は、前記ガラス基板の前記第２面側において前記正極側の配線が延びている方向に直交する方向における前記正極側の配線の幅よりも大きい、請求項１に記載の光電変換モジュール。
【請求項３】
前記絶縁体の電気抵抗率は、前記ガラス基板の電気抵抗率よりも大きい、請求項１又は２に記載の光電変換モジュール。
【請求項４】
前記絶縁体の電気抵抗率は、１０15Ω・ｃｍ以上である、請求項１から３のいずれか１項に記載の光電変換モジュール。
【発明の詳細な説明】
【技術分野】
【０００１】
本発明は、太陽電池モジュールのような光電変換モジュールに関する。
【背景技術】
【０００２】
複数の光電変換セルを含む太陽電池モジュールのような光電変換モジュールが知られている（下記特許文献１）。特許文献１に記載されたような光電変換モジュールでは、光電変換セルは、受光面に位置する透明電極層と、受光面とは反対側の面に位置する裏面電極層と、透明電極層と裏面電極層との間の光電変換層と、を有する。【０００３】
特許文献１では、複数の光電変換セルが、ガラス基板上に設けられており、互いに直列に電気的に接続されている。光電変換モジュールの両端部に位置する光電変換セルに隣接した位置に、裏面電極層に取り付けられた一対の配線（Ｂｕｓ  Ｂａｒ）が設けられている。ガラス基板の裏側、すなわち光電変換セルとは反対側の面に引き出される。ガラス基板の裏側に引き出された一対の配線は、中継器（ジャンクションボックス）に接続されている。中継器は、電気ケーブルによって、別の太陽電池モジュール又は外部の電気系統に電気的に接続される。
【先行技術文献】
【特許文献】
【０００４】
【特許文献１】米国特許明細書第２０１６-２４０６９７号
【発明の概要】
【発明が解決しようとする課題】
【０００５】
本願の発明者は、加速劣化試験を行った太陽電池モジュールのエレクトロルミネッセンス検査（ＥＬ検査）を行った。ＥＬ検査は、太陽電池モジュールの一対の端子に外部から電圧を印加することによって、太陽電池モジュールの光電変換セルを発光させる検査である。ＥＬ検査では、光電変換セルの発光状態を観測することによって、光電変換セルの劣化の状況を検査することができる。【０００６】
本願の発明者は、ＥＬ検査を実施したところ、ガラス基板の裏面側で正極側の配線が位置する領域において、光電変換セルがわずかに劣化していることを発見した。すなわち、太陽電池モジュールを長期間使用すると、正極側の配線が存在する領域において光電変換セルが劣化することが新たにわかった。【０００７】
したがって、長期的な劣化を抑制することができる光電変換モジュールが望まれる。
【課題を解決するための手段】
【０００８】
一態様に係る光電変換モジュールは、ガラス基板と、前記ガラス基板の第１面側に設けられた光電変換セルと、前記光電変換セルと電気的に接続され、前記ガラス基板の前記第１面とは反対側の第２面側に引き出された一対の配線と、前記一対の配線のうちの正極側の配線と前記ガラス基板の前記第２面との間に設けられた絶縁体と、を有する。
【発明の効果】
【０００９】
上記態様によれば、光電変換モジュールの長期的な劣化を抑制することができる。
【図面の簡単な説明】
【００１０】
【図１】図１は、一実施形態に係る光電変換モジュールの模式的断面図である。
【図２】図２は、光電変換モジュールを構成する光電変換素子の模式的平面図である。
【図３】図３は、図２の３Ａ−３Ａ線に沿った光電変換素子の模式的断面図である。
【図４】図４は、光電変換素子を構成するガラス基板の裏面（第２面）を示す模式的平面図である。
【図５】図５は、フレームが取り付けられた光電変換モジュールの模式的断面図である。
【図６】図６は、第１フレームの側面図である。
【図７】図７は、第１フレームの斜視図である。
【図８】図８は、第２フレームの側面図である。
【図９】図９は、別の方向から見た第２フレームの平面図である。
【図１０】図１０は、第２フレームの斜視図である。
【図１１】図１１は、第１フレームと第２フレームとが互いに連結された状態を示す図である。
【発明を実施するための形態】
【００１１】
以下、図面を参照して、実施形態について説明する。以下の図面において、同一又は類似の部分には、同一又は類似の符号を付している。ただし、図面は模式的なものであり、各寸法の比率等は現実のものとは異なることがあることに留意すべきである。
【００１２】
図１は、一実施形態に係る光電変換モジュールの模式的断面図である。図２は、光電変換モジュールの模式的平面図である。図３は、図２の３Ａ−３Ａ線に沿ったパネルの模式的断面図である。図４は、パネルを構成するガラス基板の裏面（第２面）を示す模式的平面図である。
【００１３】
本実施形態に係る光電変換モジュール１００は、光エネルギーを電気的エネルギーに変換する太陽電池モジュールであってよい。光電変換モジュール１００は、例えば集積型の薄膜光電変換モジュールであってよい。光電変換モジュール１００は、光電変換素子１０と、光電変換素子１０を封止する封止層４００と、封止層４００よりも受光面側の透明基板６００と、を有していてよい。透明基板６００は、例えばガラス基板であってよい。封止層４００の裏側、すなわち封止層４００よりも受光面とは反対側に、保護シート５００が設けられていてよい。
【００１４】
封止層４００は、光電変換素子１０の受光面側と、光電変換素子１０の受光面とは反対側と、を覆っていてよい。封止層４００は、合成樹脂によって形成されていてよい。そのような合成樹脂として、例えばＥＶＡ樹脂（エチレン・酢酸ビニル共重合樹脂）を用いることができる。
【００１５】
封止層４００は、紫外線吸収剤（ＵＶＡ）を含んでいてよい。この場合、紫外線吸収剤は、封止層４００のうち光電変換素子１０の受光面側にのみ含まれていてもよく、封止層４００のうち光電変換素子１０の受光面とは反対側にのみ含まれていてもよく、光電変換素子１０の受光面側と受光面とは反対側の両方に含まれていてもよい。
【００１６】
紫外線吸収剤が光電変換素子１０の受光面側と受光面とは反対側の両方に含まれている場合、受光面側の封止層４００の紫外線吸収剤の含有量は、受光面とは反対側の封止層４００の紫外線吸収剤の含有量と同じであってもよく、異なっていてもよい。
【００１７】
光電変換素子１０は、ガラス基板２０の第１面側に集積された複数の光電変換セル１２を含んでいてよい（図２）。各々の光電変換セル１２は、光電変換素子１０の厚み方向（主面に直交する方向）から見て、実質的に帯状の形状を有していてよい。各々の光電変換セル１２は第１方向（図のＹ方向）に長く延びていてよい。また、複数の光電変換セル１２は、第１方向に交差する第２方向（図のＸ方向）に並んでいる。互いに隣接する光電変換セル１２は、第１方向に延びる分割部Ｐ１，Ｐ２，Ｐ３によって互いに分断されていてよい。
【００１８】
各々の光電変換セル１２は、少なくとも、第１電極層２２と、第２電極層２４と、光電変換層２６と、を含んでいてよい。光電変換層２６は、第１電極層２２と第２電極層２４との間に設けられる。第１電極層２２は、光電変換層２６とガラス基板２０との間に設けられている。第２電極層２４は、光電変換層２６に関してガラス基板２０とは反対側に位置する。
【００１９】
本実施形態では、第２電極層２４は透明電極層によって構成されていてよい。第２電極層２４が透明電極層によって構成されている場合、光電変換層２６へ入射する光は、第２電極層２４を通過する。
【００２０】
第２電極層２４が透明電極層によって構成される場合、第１電極層２２は、不透明電極層によって構成されていてもよく、透明電極層によって構成されていてもよい。第１電極層２２は、例えば、モリブデン、チタン又はクロムのような金属によって形成されていてよい。
【００２１】
本実施形態では、好ましい一例として、第２電極層２４は、ｎ型半導体、より具体的には、ｎ型の導電性を有し、禁制帯幅が広く、比較的低抵抗の材料によって形成される。第２電極層２４は、例えば、ＩＩＩ族元素を添加した酸化亜鉛（ＺｎＯ）や、酸化インジウムスズ（Indium Tin Oxide：ＩＴＯ）によって構成されていてよい。この場合、第２電極層２４は、ｎ型半導体と透明電極層の機能を兼ねることができる。
【００２２】
光電変換層２６は、例えば、ｐ型の半導体を含んでいてよい。ＣＩＳ系の光電変換モジュールの一例では、光電変換層２６は、Ｉ族元素（Ｃｕ、Ａｇ、Ａｕ等）、ＩＩＩ族元素（Ａｌ、Ｇａ、Ｉｎ等）及びＶＩ族元素（Ｏ、Ｓ、Ｓｅ、Ｔｅ等）を含む化合物半導体で形成される。光電変換層２６は、前述したものに限定されず、光電変換を起こす任意の材料によって構成されていてよい。
【００２３】
光電変換セル１２の構成は、上記態様に限定されず、様々な態様をとり得ることに留意されたい。例えば、光電変換セル１２は、ｎ型半導体とｐ型半導体の両方が第１電極層と第２電極層との間に挟まれた構成を有していてもよい。この場合、第２電極層はｎ型半導体によって構成されていなくてよい。また、光電変換セル１２は、ｐ−ｎ結合型の構造に限らず、ｎ型半導体とｐ型半導体との間に真性半導体層（ｉ型半導体）を含むｐ−ｉ−ｎ結合型の構造を有していてもよい。
【００２４】
光電変換セル１２は、光電変換層２６と第２電極層２４との間に不図示のバッファ層を有していてもよい。この場合、バッファ層は、第２電極層２４と同じ導電型を有する半導体材料であってもよく、異なる導電型を有する半導体材料であってもよい。バッファ層は、第２電極層２４よりも電気抵抗の高い材料によって構成されていればよい。バッファ層は、例えばＺｎ系バッファ層、Ｃｄ系バッファ層又はＩｎ系バッファ層であってよい。
【００２５】
互いに隣接する光電変換セル１２の第１電極層２２は、分割部Ｐ１によって互いに電気的に分断されている。同様に、互いに隣接する光電変換セル１２の第２電極層２４は、分割部Ｐ３によって互いに電気的に分断されている。互いに隣接する光電変換セル１２の光電変換層２６は、分割部Ｐ２，Ｐ３によって互いに分断されている。
【００２６】
光電変換素子１０は、互いに隣接する光電変換セル１２同士の間に電気接続部３４を有していてよい。電気接続部３４は、互いに隣接する光電変換セル１２同士を電気的に直列に接続する。本実施形態では、電気接続部３４は、第２電極層２４から連続する部分によって形成されている。この場合、電気接続部３４は、第２電極層２４と同じ材料から構成されていてよい。この代わりに、電気接続部３４は、第２電極層２４と異なる導電材料から構成されていてもよい。電気接続部３４は、第２分割部Ｐ２のところで光電変換素子１０の厚み方向に延びることで、一方の光電変換セル１２の第１電極層２２と他方の光電変換セル１２の第２電極層２４とを互いに電気的に接続する。
【００２７】
各々の光電変換セル１２の光電変換層２６に光が照射されると起電力が生じ、第１電極層２２及び第２電極層２４がそれぞれ正極及び負極となる。したがって、ある光電変換セル１２で生じた自由電子の一部は、第２電極層２４から直接電気接続部３４を通って、隣接する光電変換セル１２の第１電極層２２に移動する。このように、光電変換セル１２で生じた自由電子は、第２方向（図のＸ方向）に複数の光電変換セル１２を通って流れることになる。
【００２８】
光電変換素子１０は、電力を光電変換素子１０から取り出すための一対の配線５０を有する。一対の配線５０は、第２方向（図のＸ方向）における光電変換素子１０の端に位置する光電変換セル１２に隣接して設けられていてよい。一対の配線５０は、それぞれ一方向に並んだ光電変換セル１２のうちの端に位置する光電変換セル１２の第１電極層２２が延出して露出した部分と電気的に接続される。
【００２９】
一対の配線５０は、ガラス基板２０の上記第１面とは反対側の第２面側、すなわち光電変換セル１２とは反対側の面に引き出されている（図３及び図４参照）。一対の配線５０は、ガラス基板２０の裏面で互いに近接する位置５２まで引き出されている（図４参照）。一対の配線５０は、この位置５２から封止層４００を厚み方向に貫通し、中継器（ジャンクションボックス）７００に接続される（図１も参照）。
【００３０】
一対の配線５０のうちの一方は正極側の配線であり、一対の配線５０のうちの他方は負極側の配線である。正極側の配線５０とガラス基板２０の裏面（第２面）との間には絶縁体６０が設けられている（図３及び図４参照）。絶縁体６０を構成する材料は、特に限定されず、例えばポリエチレンテレフタレート（ＰＥＴ）、ポリエステル（ＰＥ）、塩化ビニル、アクリロニトリル・ブタジエン・スチレン（ＡＢＳ）、ポリカーボネートのような樹脂材料であってよい。
【００３１】
絶縁体６０は、ガラス基板２０の裏面へのコーティングによって形成されてもよく、ガラス基板２０の裏面に貼り付けられた絶縁テープによって構成されてもよい。コーティングは、特に限定されないが、例えばシリカのような絶縁コーティングであってもよい。絶縁テープは、特に限定されないが、例えばカプトン（登録商標）テープ、又はポリエステル絶縁テープなどであってよい。
【００３２】
また、前述した例の代わりに、絶縁体６０は、光電変換素子１０を封止する封止層４００によって構成されていてもよい。この場合、封止層４００が、正極側の配線５０とガラス基板２０の裏との間に入り込むように構成される。
【００３３】
本願の発明者は、絶縁体６０を有する光電変換モジュールと、絶縁体６０を有しない光電変換モジュールとにおいて、加速劣化試験後にＥＬ検査を行った。その結果、絶縁体６０を有する光電変換モジュールは、絶縁体６０を有しない光電変換モジュールと比較すると、正極側の配線５０の領域における劣化が抑制されていることを見出した。その原因は、以下のように推測される。
【００３４】
ガラス基板２０は、通常、アルカリ成分を含有する。ガラス基板２０は絶縁体であるものの、ガラス基板２０中のアルカリ成分（アルカリイオン）は、長期間電圧を印加されることでわずかにガラス基板２０の表面に向かって移動すると考えられる。アルカリイオンは、正の電荷を帯びている。したがって、正極側の配線５０の領域では、アルカリ成分は、ガラス基板２０中で光電変換セル１２の方に向かって移動する。これにより、正極側の配線５０からガラス基板２０を通って微弱な漏れ電流が生じるものと推測される。なお、このようなアルカリ成分の移動は、特にガラス基板２０が加熱された状態で生じ易いと考えられる。そして、ガラス基板２０中のアルカリ成分が光電変換セル１２内に入った場合に、光電変換セル１２の性能に影響を与え、光電変換セル１２の劣化が生じると考えられる。
【００３５】
本実施形態では、正極側の配線５０とガラス基板２０の裏面との間に絶縁体６０が設けられているため、正極側の配線５０からガラス基板２０を通る微弱な漏れ電流を抑制することができる。これにより、ガラス基板２０中のアルカリ成分の光電変換セル１２への進入を抑制することができ、光電変換モジュールの長期の劣化を抑制することができる。
【００３６】
ガラス基板２０の裏面側において正極側の配線５０が延びている方向に直交する方向における絶縁体６０の幅は、ガラス基板２０の裏面側において正極側の配線５０が延びている方向に直交する方向における正極側の配線５０の幅よりも大きいことが好ましい。これにより、正極側の配線５０からの電圧の影響をより抑制することができ、光電変換セル１２の劣化をより抑制することができる。
【００３７】
絶縁体６０の電気抵抗率（体積抵抗率）はガラス基板２０の電気抵抗率（体積抵抗率）よりも大きいことが好ましい。これにより、ガラス基板２０を厚み方向に流れる漏れ電流をより劣化することができるため、光電変換セル１２の劣化をより抑制することができると考えられる。
【００３８】
また、ガラス基板２０を厚み方向に流れる漏れ電流をより抑制するという観点から、絶縁体６０の電気抵抗率は、好ましくは１０15Ω・ｃｍ以上であり、より好ましくは１０16Ω・ｃｍ以上である。
【００３９】
上記実施形態は、特にアルカリ成分の含有量の多いガラス基板２０を利用することができるというメリットがある。すなわち、光電変換モジュール１００に使用されるガラス基板２０の種類に関する制限をより緩和することができる。
【００４０】
以下の表１は、互いに異なるガラス基板２０と絶縁体６０を用いた光電変換モジュール１００について、加速劣化試験後にＥＬ検査を行った結果を示している。より具体的には、表１は、アルカリ酸化物の含有量の異なる３種類のガラス基板２０に対して、電気抵抗率の異なる３種類の絶縁体６０を用いた光電変換モジュール１００のＥＬ検査の結果を示す。なお、絶縁体６０を用いなかった場合、どのガラス基板２０を用いた光電変換モジュールであってもＥＬ検査において劣化が確認された。
【００４１】
【表１】
2020027104.tif 000003
【００４２】
表１の評価結果の欄において、「○」は、ＥＬ検査において劣化の改善効果が高かったことを示している。表１に示すように、いずれのガラス基板２０においても、少なくとも１０15Ω・ｃｍ以上の電気抵抗率を有する絶縁体６０を用いることで、ＥＬ検査において劣化の改善が確認できた。
【００４３】
図４に示す態様では、絶縁体６０は、正極側の配線５０に沿って、ガラス基板２０の裏面に部分的に設けられている。この場合、絶縁体６０の量が少なくて良く、光電変換モジュール１００の製造コストの増大を抑制することができる。この代わりに、絶縁体６０は、ガラス基板２０の裏面の全体に設けられていてもよい。この場合、ガラス基板２０の裏面側で正極側の配線５０を引き出す位置を柔軟に変更することができる。
【００４４】
一対の配線５０は、ガラス基板２０の裏側において、厚み方向からみて複数の光電変換セル１２にわたって延びていてよい。この場合、正極側の配線５０が跨ぐ光電変換セル１２の数は、負極側の配線５０が跨ぐ光電変換セル１２の数よりも少ないことが好ましい。この場合、光電変換セル１２は互いに電気的に直列に接続されているため、正極側の配線５０と、正極側の配線５０に対向する位置での光電変換セル１２との電位差をなるべく小さくすることができる。正極側の配線５０と、正極側の配線５０に対向する位置での光電変換セル１２との電位差を小さくすることで、ガラス基板２０中のアルカリイオンの移動を抑制することができ、光電変換セル１２の劣化をより抑制することができる。
【００４５】
光電変換モジュール１００の端辺には、フレームが取り付けられてもよい。このようなフレームは、光電変換モジュール１００の４辺のうちの短い方の辺に設けられる第１フレーム２００と、光電変換モジュール１００の４辺のうちの長い方の辺に設けられる第２フレーム３００と、を含んでいてよい。
【００４６】
図５は、フレームが取り付けられた光電変換モジュール１００の模式的断面図である。図６は、第１フレーム２００の側面図である。図７は、第１フレーム２００の斜視図である。図８は、第２フレーム３００の側面図である。図９は、別の方向から見た第２フレーム３００の平面図である。図１０は、第２フレーム３００の斜視図である。図１１は、第１フレーム２００と第２フレーム３００とが互いに連結された状態を示している。
【００４７】
第１フレーム２００は、光電変換パネルの４辺のうちの短い方の辺に沿って延びていて良い。第１フレーム２００は、光電変換モジュール１００の厚み方向において、光電変換モジュール１００の厚みよりも長い側壁部２２０を有する。フランジ２３０及び保持部２４０が、側壁部２２０から、光電変換モジュール１００の板面に沿った方向に突出している。フランジ２３０及び保持部２４０は、光電変換モジュール１００の厚み方向に互いに間隔をあけて設けられている。光電変換モジュール１００の一端部は、フランジ２３０と保持部２４０との間に挟まれる（図５も参照）。フランジ２３０は、図のＹ方向に、保持部２４０よりも長く突出していてよい。
【００４８】
第１フレーム２００は、光電変換モジュール１００の厚み方向において、フランジ２３０とは反対側に、突出部２１０を有していてよい。突出部２１０は、光電変換モジュール１００の板面に沿った方向に突出していてよい。
【００４９】
第１フレーム２００は、不図示の締結部材が挿入される挿入孔２５０を有する。本実施形態では、この挿入孔２５０は、保持部２４０の下側と、突出部２１０の上側とに設けられている。具体的には、突出部２１０及び保持部２４０を構成する壁部から断面視Ｃ字形状の部材が、第１フレーム２００が延びている方向に沿って延びている。この断面視Ｃ字形状の部材の内部部分が、締結部材が挿入される挿入孔２５０を構成する。
【００５０】
第２フレーム３００は、光電変換パネルの４辺のうちの長い方の辺に沿って延びている。すなわち、第２フレーム３００は、第１フレーム２００が延びる方向と直交する方向に延びている（図１１も参照）。第２フレーム３００は、光電変換モジュール１００の厚み方向において、光電変換モジュール１００の厚みよりも長い側壁部３２０を有する。フランジ３３０及び保持部３４０が、側壁部３２０から、光電変換モジュール１００の板面に沿った方向に突出している。フランジ３３０及び保持部３４０は、光電変換モジュール１００の厚み方向に互いに間隔をあけて設けられている。光電変換モジュール１００の一端部は、フランジ３３０と保持部３４０との間に挟まれる。
【００５１】
第２フレーム３００は、光電変換モジュール１００の厚み方向において、フランジ３３０とは反対側に、突出部３１０を有していてよい。突出部３１０は、光電変換モジュール１００の板面に沿った方向に突出していてよい。
【００５２】
第２フレーム３００は、不図示の締結部材が挿入される挿入孔３５０を有する。挿入孔３５０は、側壁部３２０を貫通する貫通孔である。挿入孔３５０は、第２フレーム３００が延びている方向において、第２フレーム３００の端部付近に設けられている。第１フレーム２００と第２フレーム３００を９０°交差させた状態で、第２フレーム３００の挿入孔３５０は、第１フレーム２００の挿入孔２５０と同じ位置に配置される（図１１参照）。この状態で、不図示の締結部材を挿入孔２５０と挿入孔３５０に挿入することで、第１フレーム２００と第２フレーム３００が互いに締結される。
【００５３】
第２フレーム３００の突出部３１０、フランジ３３０及び保持部３４０は、側壁部３２０とともに図のＹ方向に延びている。ただし、突出部３１０、フランジ３３０及び保持部３４０は、第２フレーム３００の両端までは延びていない。これにより、第２フレーム３００の突出部３１０、フランジ３３０及び保持部３４０が、それぞれ第１フレーム２００の突出部２１０、フランジ２３０及び保持部２４０と干渉しないようになっている。なお、フランジ３３０は、図のＹ方向において保持部３４０よりも長く延びていてよい。
【００５４】
第２フレーム３００は、側壁部３２０を貫通する別の貫通孔３６０を有していてよい。貫通孔３６０は、第２フレーム３００の両端部付近に設けられていてよい。貫通孔３６０は、第２フレーム３００の延びている方向（図１０のＹ方向）から見て、保持部３４０の根元、すなわち保持部３４０が側壁部３２０に連結している部分と重複する位置に設けられている。具体的には、光電変換モジュール１００の厚み方向（図１０のＺ方向）において、貫通孔３６０の上端は、保持部３４０の根元の上端と一致するか、もしくは上方に位置する。また、光電変換モジュール１００の厚み方向（図１０のＺ方向）において、貫通孔３６０の下端は、保持部３４０の根元の下端と一致するか、もしくは下方に位置する。したがって、光電変換モジュール１００の厚み方向における貫通孔３６０の長さは、光電変換モジュール１００の厚み方向における保持部３４０の根元の長さと一致するか、もしくは長い。
【００５５】
貫通孔３６０は、図のＹ方向において、少なくとも第１フレーム２００の保持部２４０と第２フレーム３００の保持部３４０との間の領域に設けられていてよい。さらに、貫通孔３６０は、図のＹ方向において、第２フレーム３００の保持部３４０から離れた位置に設けられていることが好ましい。また、貫通孔３６０は、図のＹ方向において、第２フレーム３００のフランジ３３０よりも外側（端部側）に位置していてよい。この代わりに、貫通孔３６０の一部が、光電変換モジュール１００の厚み方向においてフランジ３３０と部分的に重複していてもよい。
【００５６】
貫通孔３６０は、図のＹ方向において、第１フレーム２００のフランジ２３０よりも外側（端部側）に位置していることが好ましい。ただし、貫通孔３６０は、光電変換モジュール１００の厚み方向においてフランジ２３０と部分的に重複していてもよい。
【００５７】
光電変換モジュール１００は、例えば建造物の屋根のような傾斜した設置面に取り付けられてもよい。この場合、第２フレーム３００は、光電変換モジュール１００の水上側と水下側に配置されてよい。なお、傾斜した設置面において最大傾斜線に沿って高い方から低い方へ向かう方向を「流れ方向」と称し、流れ方向の上流側を「水上側」と称する。また、流れ方向の下流側を「水下側」と称する。第２フレーム３００の貫通孔３６０は、光電変換モジュール１００上に付着した雨のような液体を排水する機能を有する。
【００５８】
上述したように、実施形態を通じて本発明の内容を開示したが、この開示の一部をなす論述及び図面は、本発明を限定するものであると理解すべきではない。この開示から当業者には様々な代替の実施形態、実施例及び運用技術が明らかとなる。したがって、本発明の技術的範囲は、上述の説明から妥当な特許請求の範囲に係る発明特定事項によってのみ定められるものである。
【００５９】
例えば、前述した実施形態では、絶縁体６０は、正極側の配線５０とガラス基板２０との間に設けられている。この代わりに、光電変換セルが負極側の配線５０から影響を受ける場合では、絶縁体６０は、正極側の配線５０とガラス基板２０との間ではなく、負極側の配線５０とガラス基板２０との間に設けられてもよい。
【００６０】
この出願は、２０１８年７月３０日に出願された日本出願特願２０１８-１４２３８３号を基礎とする優先権を主張し、その開示の全てをここに取り込む。
【符号の説明】
【００６１】
１００    光電変換モジュール
１２      光電変換セル
２０      ガラス基板
５０      配線
６０      絶縁体
【図１】
2020027104.tif 000004
【図２】
2020027104.tif 000005
【図３】
2020027104.tif 000006
【図４】
2020027104.tif 000007
【図５】
2020027104.tif 000008
【図６】
2020027104.tif 000009
【図７】
2020027104.tif 000010
【図８】
2020027104.tif 000011
【図９】
2020027104.tif 000012
【図１０】
2020027104.tif 000013
【図１１】
2020027104.tif 000014
【国際調査報告】
2020027104.tif 000015
2020027104.tif 000016
2020027104.tif 000017
2020027104.tif 000018